(57)【要約】【課題】電線内部への防水性を得られるとともに、内部に浸水した水を外部に排水できるワイヤーハーネスの防水構造及びワイヤーハーネスを提供する。【解決手段】本発明のワイヤーハーネスの防水構造１は、芯線１０が被覆層１１ａ，１１ｂにより覆われた電線１２の所定の位置において、芯線１０を所定長さに露出させた露出部１３を形成し、芯線１０に接触しないように露出部１３を覆ったことを特徴とする。本発明では、電線１２の端部からその内部に水２０が侵入したとしても、電線１２の途中に設けられた露出部１３によって毛細管現象が遮断されるので、電線１２内部への防水性を得られるとともに、内部に浸水した水２０を外部に排水できる。【選択図】  図１
2005304131.tif 000002
【特許請求の範囲】
【請求項１】
芯線が被覆層により覆われた電線の所定の位置において、前記芯線を所定長さに露出させた露出部を形成し、前記露出部を覆ったことを特徴とするワイヤーハーネスの防水構造。
【請求項２】
前記露出部において前記芯線を湾曲させたことを特徴とする請求項１に記載のワイヤーハーネスの防水構造。
【請求項３】
前記露出部が上下方向に沿って配索され、前記露出部を境界として上方に配索された上方被覆層部および下方に配索された下方被覆層部のうち、内部浸水している可能性を有する側が前記下方被覆層部となるように配索されていることを特徴とする請求項１に記載のワイヤーハーネスの防水構造。
【請求項４】
多数の素線を束ねることにより前記芯線が形成されているとともに、前記各素線が前記露出部において互いに接触しないようにばらされていることを特徴とする請求項１または請求項２に記載のワイヤーハーネスの防水構造。
【請求項５】
前記露出部がカバー部材により覆われていることを特徴とする請求項１〜請求項４のうちのいずれかに記載のワイヤーハーネスの防水構造。
【請求項６】
前記露出部が電気接続箱内に収容されていることを特徴とする請求項１〜請求項５のうちのいずれかに記載のワイヤーハーネスの防水構造。
【請求項７】
前記露出部の長手方向長さが１ｃｍ以上であることを特徴とする請求項１〜請求項６のうちのいずれかに記載のワイヤーハーネスの防水構造。
【請求項８】
請求項１〜請求項７のうちのいずれかに記載のワイヤーハーネスの防水構造を備えたことを特徴とするワイヤーハーネス。
【発明の詳細な説明】
【技術分野】
【０００１】
本発明は、ワイヤーハーネスの防水構造及びワイヤーハーネスに関する。
【背景技術】
【０００２】
従来、各種のワイヤーハーネスの防水構造が提案されている。例えば、図７に示すワイヤーハーネスの防水構造は、電線５１を皮むきして芯線を露出させ、露出した芯線に他の電線５１の芯線を接続する場合、各々の芯線同士を接続具により接続した後、防水器５０の隔壁５２内に収容されたパッキン材５４に接続箇所を配置して防水を行うように構成されている（例えば、特許文献１参照。）。
【０００３】
なお、図５中の符号５３は電線接続部、５５は本体、５６は切片、５７は突起である。
【特許文献１】特開平７−４６７４４号公報
【発明の開示】
【発明が解決しようとする課題】
【０００４】
しかしながら、従来のワイヤーハーネスの防水構造は、芯線が露出する接続部分５３に水が入らないようにする防水構造であり、電線５１の芯線と被覆層との間に入った水を排出することは困難であった。
【０００５】
また、従来のワイヤーハーネスの防水構造では、電線の被覆層における防水性の高いことが災いとなって、内部浸水を外部に排水できず、水がコネクタまで到達するおそれがあった。
【０００６】
そこで、電線内部への防水性が得られるとともに、内部に浸水した水を外部に排水できるワイヤーハーネスの防水構造が望まれていた。
【０００７】
本発明は、このような問題に鑑みてなされたもので、電線内部への防水性を得られるとともに、内部に浸水した水を外部に排水できるワイヤーハーネスの防水構造及びワイヤーハーネスを提供するものである。
【課題を解決するための手段】
【０００８】
１）本発明のワイヤーハーネスの防水構造は、芯線が被覆層により覆われた電線の所定の位置において、前記芯線を所定長さに露出させた露出部を形成し、前記露出部を覆ったことを特徴とする。
【０００９】
本発明では、電線の端部から毛細管現象によって内部に浸水した水が、芯線の露出部から外部に排水される。
【００１０】
２）ここで、前記露出部において前記芯線を湾曲させるのが好ましい。湾曲形状としては、Ｕ字状、Ｌ字状、Ｃ字状、Ｓ字状、コイル状などを例示できる。
この場合は湾曲部から水が落下して外部に排水されやすくなる。
【００１１】
３）また、前記露出部が上下方向に沿って配索され、前記露出部を境界として上方に配索された上方被覆層部および下方に配索された下方被覆層部のうち、内部浸水している可能性を有する側が前記下方被覆層部となるように配索されるのが望ましい。
【００１２】
この場合は、毛細管現象を確実に遮断できる。なお、上下方向とは鉛直方向に限らず、斜めでもよい。
【００１３】
４）また、多数の素線を束ねることにより前記芯線が形成されているとともに、前記各素線が前記露出部において互いに接触しないようにばらされていることが望ましい。この場合も、確実に毛細管現象を遮断できる。
【００１４】
５）また、前記露出部がカバー部材により覆われていることが好ましい。この場合は、電線内の水分が外部に拡散されるのを防止できる。
【００１５】
６）前記露出部が電気接続箱内に収容されていることが望ましい。この場合は、カバー部材が不要になる。
【００１６】
７）また、前記露出部の長手方向長さが１ｃｍ以上であるのが望ましい。
【００１７】
８）また、本発明のワイヤーハーネスは、上記１）〜７）のうちのいずれかに記載のワイヤーハーネスの防水構造を備えたことを特徴とする。
【発明の効果】
【００１８】
以上のように、本発明によれば、電線の端部から毛細管現象によって内部に浸水した水が、芯線の露出部から外部に排水される。
【００１９】
従って、電線の端部からその内部に水が侵入したとしても、電線の途中に設けられた露出部によって水の侵入が遮断されるので、電線内部への防水性を得られるとともに、内部に浸水した水を外部に排水できる。
【発明を実施するための最良の形態】
【００２０】
以下、本発明に係るワイヤーハーネスの防水構造及びワイヤーハーネスの実施の形態を図面を参照して詳細に説明する。
【００２１】
（第１実施形態）
図１は、本発明に係る第１実施形態のワイヤーハーネスの防水構造１を示す。このワイヤーハーネスの防水構造１は、芯線１０が被覆層１１ａ，１１ｂにより覆われた電線１２の所定の位置において、芯線１０を所定長さに露出させた露出部１３が形成され、芯線１０に接触しないように露出部１３がカバー部材であるキャップ１４により覆われている。
【００２２】
本例では、多数の素線１０ａ，１０ａ・・・（二本のみ図示）を束ねることにより上記の芯線１０が形成されているとともに、各素線１０ａ，１０ａ・・・が露出部１３において互いに接触しないようにばらされている。
【００２３】
露出部１３においては、芯線１０が略Ｕ字状に湾曲形成されている。この露出部１３は、配索時に略逆Ｕ字状、すなわち略Ｕ字状の開口側が下向きになるように配置されている。
【００２４】
キャップ１４は、図２に示すように、電線１２の露出部１３を収容する収容部１５と、この収容部１５に開閉自在に設けられた蓋１６とを有している。
【００２５】
キャップ１４の収容部１５には、図１に示すように、電線１２，１２の入り口１７ａ，１７ｂが設けられている。これらの入り口１７ａ，１７ｂには、電線１２と入り口１７ａ，１７ｂの隙間からの浸水を防止するため、且つ電線１２の位置ずれを防止するため、迷路状のラビリンスパッキン１８，１８が設けられている。
【００２６】
また、入り口１７ａ，１７の間には、露出部１３の直下に位置する排水口１９が設けられている。この排水口１９は、収容部１５内の水２０が排出されやすく、且つ外部の水が収容部１５内に入りにくくするため、ラビリンス構造に形成されている。
【００２７】
更に、入り口１７ａ，１７ｂは筒状に形成され、その外周壁２１ａ，２１ｂは、長さ（高さ）が互いに異なっている。
【００２８】
すなわち、電線１２の露出部１３の両側に設けられた被覆層１１ａ，１１ｂのうち、水が入っている方の被覆層１１ｂ側の外周壁２１ｂが、その反対側で水が入っていない方の被覆層１１ａ側の外周壁２１ａより、短く（低く）形成されている。これにより、水が入ってない方の被覆層１１ａ内への浸水を防止できる。
【００２９】
このように、本発明のワイヤーハーネスの防水構造１によれば、電線１２の端部から毛細管現象によって内部に浸水した水が、芯線１０の露出部１３から外部に排水されるので、電線１２内部への防水性を得られるとともに、電線１２内部に浸入した水２０を外部に排出できる。
【００３０】
また、露出部１３がキャップ１４に収容されているので、露出部１３から排出された水２０が、外部に拡散されるのを防止できる。
【００３１】
更に、露出部１３が略Ｕ字状の湾曲状に形成され、略逆Ｕ字状に配置されているので、露出部（湾曲部）１３から水２０が落下して外部に排水されやすくなる。これにより、確実に毛細管現象を遮断できるので、防水性が向上する。
【００３２】
なお、露出部１３は略Ｕ字状に限らず、略Ｕ字状、略Ｌ字状、略Ｃ字状、略Ｓ字状、コイル状などにできる。
【００３３】
また、ワイヤーハーネスに上記のワイヤーハーネスの防水構造１を備えることにより、ワイヤーハーネスの防水性が向上できる。
【００３４】
（第２実施形態）
図３は、本発明に係る第２実施形態のワイヤーハーネスの防水構造２５を示す。なお、以下の説明においては、図１及び図２と同一の部分には、同一の符号を付けて詳細な説明を省略する。
【００３５】
このワイヤーハーネスの防水構造２５は、電気接続箱２６内に電線１２の露出部１３が収容されている。電気接続箱２６における電線１２の入り口２７は、図１の入り口１７と同様に構成されている。
【００３６】
このワイヤーハーネスの防水構造２５は、露出部１３を収容するために特別なカバー部材が不要になるので、コストダウンが可能になる。
【００３７】
（第３実施形態）
図４は、本発明に係る第３実施形態のワイヤーハーネスの防水構造３を示す。このワイヤーハーネスの防水構造３は、電線１２の露出部３１が略直線状に設けられている。
【００３８】
また、この露出部３１が上下方向に沿って配索され、露出部３１を境界として上方に配索された上方被覆層部３２および下方に配索された下方被覆層部３３のうち、内部浸水している可能性を有する側が下方被覆層部３３となるように配索されている。
【００３９】
更に、露出部３１は、図５に示すように、カバー部材３４内に収容されている。また、本例では、露出部３１より上側に防水コネクタ３５が設けられている。露出部３１の長さは１ｃｍ以上にするのが好ましい。
【００４０】
このワイヤーハーネスの防水構造３によれば、露出部３１によって毛細管現象を確実に遮断できるので、防水性を確実に得ることが出来る。従って、防水コネクタ３５に水が浸入するのを防止できる。
【００４１】
また、露出部３１が１ｃｍ以上の長さを有するので、電線１２内に浸入した水が露出部３１から確実に排水される。
【００４２】
なお、図６に示すように、露出部３１の各素線１０ａ，１０ｂ・・・を互いに接触しないようにばらすことができる。これにより、防水性が更に向上する。
【００４３】
また、上記の上下方向とは鉛直方向に限らず、鉛直方向に対して傾斜している方向に沿って直線状の露出部３１を配置してもよい。
【図面の簡単な説明】
【００４４】
【図１】本発明に係る第１の実施形態を示す図である。
【図２】本発明に係る第１の実施形態のキャップを示す斜視図である。
【図３】本発明に係る第２の実施形態を示す図である。
【図４】本発明に係る第３の実施形態を示す図である。
【図５】本発明に係る第３の実施形態のコネクタを示す図である。
【図６】本発明に係る第３の実施形態の変形例を示す図である。
【図７】従来例に係るワイヤーハーネスの防水構造を示す斜視図である。
【符号の説明】
【００４５】
１，３，２５    ワイヤーハーネスの防水構造
１０    芯線
１１ａ，１１ｂ    被覆層
１２    電線
１３，３１    露出部
１４    キャップ（カバー部材）
２６    電気接続箱
３２    上方被覆層部
３３    下方被覆層部
【図１】
2005304131.tif 000003
【図２】
2005304131.tif 000004
【図３】
2005304131.tif 000005
【図４】
2005304131.tif 000006
【図５】
2005304131.tif 000007
【図６】
2005304131.tif 000008
【図７】
2005304131.tif 000009